(57)【要約】【課題】両面画像形成された用紙について、画像形成装置の後段の画像読取装置により循環搬送を伴って用紙両面を読み取る際に、生産性を低下を抑制する。【解決手段】用紙を循環搬送する画像形成装置と用紙を循環搬送する画像読取装置とが接続可能に構成され、両面に画像が形成された用紙の両面の画像を画像読取部で読み取る場合と、両面に画像が形成された用紙の片面の画像を画像読取部で読み取る場合とで、画像形成部が用紙に形成する画像の配列を変更するよう制御する。【選択図】図１
2015213240.tif 000002
【特許請求の範囲】
【請求項１】
画像形成装置と画像読取装置とが接続された画像形成システムであって、
前記画像形成装置は、
画像データに基づいて用紙に画像を形成する画像形成部、前記画像形成部で一方の面に画像が形成された前記用紙の表裏を反転させつつ循環させて前記用紙の他方の面に画像を形成するように前記画像形成部に搬送する画像形成搬送部、及び、前記画像形成部が前記用紙に形成する画像の頁順序を制御する制御部を備えることで前記用紙の両面に画像形成することが可能に構成され、
前記画像読取装置は、
前記用紙に形成された画像を読み取る画像読取部、及び、前記画像読取部で一方の面の画像が読み取られた前記用紙の表裏を反転させつつ循環させて前記用紙の他方の面に形成された画像を読み取るように前記画像読取部に搬送する読取搬送部を備え、前記画像形成装置から送られてきた前記用紙の両面に形成された画像を読み取ることが可能に構成され、
前記制御部は、両面に画像が形成された前記用紙の両面の画像を前記画像読取部で読み取る場合と、両面に画像が形成された前記用紙の片面の画像を前記画像読取部で読み取る場合とで、前記画像形成部が前記用紙に形成する画像の配列を変更するよう制御する、
ことを特徴とする画像形成システム。
【請求項２】
画像形成装置と画像読取装置とが接続された画像形成システムであって、
前記画像形成装置は、
画像データに基づいて用紙に画像を形成する画像形成部、前記画像形成部で一方の面に画像が形成された前記用紙の表裏を反転させつつ循環させて前記用紙の他方の面に画像を形成するように前記画像形成部に搬送する画像形成搬送部、及び、前記画像形成部が前記用紙に形成する画像の頁順序を制御する制御部を備えることで前記用紙の両面に画像形成することが可能に構成され、
前記画像読取装置は、
前記用紙に形成された画像を読み取る画像読取部、及び、前記画像読取部で一方の面の画像が読み取られた前記用紙の表裏を反転させつつ循環させて前記用紙の他方の面に形成された画像を読み取るように前記画像読取部に搬送する読取搬送部を備え、前記画像形成装置から送られてきた前記用紙の両面に形成された画像を読み取ることが可能に構成され、
前記制御部は、両面に画像が形成された前記用紙の両面の画像を前記画像読取部で読み取る場合と、両面に画像が形成された前記用紙の片面の画像を前記画像読取部で読み取る場合とで、前記画像形成部が前記用紙に形成する画像の配列として画像の表裏の順序を変更するよう制御する、
ことを特徴とする画像形成システム。
【請求項３】
前記制御部は、両面に画像が形成された前記用紙の両面の画像を前記画像読取部で読み取る場合と、両面に画像が形成された前記用紙の片面の画像を前記画像読取部で読み取る場合とで、前記画像形成部が前記用紙に形成する画像の配列として画像の表裏の順序を変更するよう制御する、
ことを特徴とする請求項１に記載の画像形成システム。
【請求項４】
前記用紙が前記画像読取装置から排紙されて積載される排紙部を備え、
前記制御部は、前記画像形成部により両面に画像が形成された前記用紙について、前記画像読取部により両面の画像が読み取られた状態で前記排紙部に排紙されることで、画像の頁順に揃った状態になるように、前記画像形成部が前記用紙に形成する画像の配列を変更するよう制御する、
ことを特徴とする請求項１−３のいずれか一項に記載の画像形成システム。
【請求項５】
前記制御部は、前記画像形成搬送部において搬送される前記用紙の画像の頁順序と、前記読取搬送部において搬送される前記用紙の画像の頁順序と、に基づいて、前記画像形成部が前記用紙に形成する画像の配列を決定する、
ことを特徴とする請求項１−４のいずれか一項に記載の画像形成システム。
【請求項６】
前記制御部は、
前記画像形成部により前記用紙の両面に画像を形成する際に、一部の用紙について前記用紙の両面の画像を前記画像読取部で読み取らせ、他の一部の用紙について前記用紙の両面の画像を前記画像読取部で読み取らせるよう制御し、
両面の画像が読み取られる前記用紙と、片面の画像が読み取られる前記用紙とで、前記画像形成部が前記用紙に形成する画像の配列を変更するよう制御する、
ことを特徴とする請求項１−５のいずれか一項に記載の画像形成システム。
【請求項７】
前記制御部は、
前記画像形成部により前記用紙の両面に画像を形成する際に、一部の用紙について両面読取用紙と定めて前記用紙の両面の画像を前記画像読取部で読み取らせ、他の一部の用紙について片面読取用紙と定めて前記用紙の両面の画像を前記画像読取部で読み取らせるよう制御し、
前記片面読取用紙の後に前記両面読取用紙が処理される予定である場合には、前記両面読取用紙を前記片面読取用紙より先に前記画像形成部により画像形成されるように画像の配列を制御する、
ことを特徴とする請求項１−６のいずれか一項に記載の画像形成システム。
【請求項８】
前記制御部は、
両面読取用紙であるＮ枚目の用紙に着目し、（Ｎ−ｉ）枚目から（Ｎ−１）枚目が片面読取用紙であり、
前記読取搬送部において前記用紙が表裏反転して循環する時間を循環時間Ｔcycleと、（Ｎ−ｉ）枚目の用紙後端からＮ枚目の用紙先端が前記読取搬送部において同位置を通過する紙間搬送時間Ｔconveyとを比較し、Ｔconvey≧Ｔcycleであれば、
Ｎ枚目の用紙を（Ｎ−ｉ）枚目の用紙の位置に割り込ませるように、前記画像形成部により画像形成されるように画像の配列を制御する、
ことを特徴とする請求項７に記載の画像形成システム。
【請求項９】
前記制御部は、前記両面読取用紙がサンプル用の画像が形成されたサンプル用紙である場合、該サンプル用紙については、先行する前記片面読取用紙よりも先に画像形成する制御を適用しない、
ことを特徴とする請求項７−８のいずれか一項に記載の画像形成システム。
【請求項１０】
読取搬送部により用紙の表裏を反転させつつ循環させて該用紙の両面に形成された画像を画像読取部で読み取ることが可能に構成された画像読取装置が後段に接続され得る画像形成装置であって、
画像データに基づいて用紙に画像を形成する画像形成部、前記画像形成部で一方の面に画像が形成された前記用紙の表裏を反転させつつ循環させて前記用紙の他方の面に画像を形成するように前記画像形成部に搬送する画像形成搬送部、及び、前記画像形成部が前記用紙に形成する画像の頁順序を制御する制御部を備えることで前記用紙の両面に画像形成することが可能に構成され、
前記制御部は、両面に画像が形成された前記用紙の両面の画像を前記画像読取部で読み取る場合と、両面に画像が形成された前記用紙の片面の画像を前記画像読取部で読み取る場合とで、前記画像形成部が前記用紙に形成する画像の配列を変更するよう制御する、
ことを特徴とする画像形成装置。
【請求項１１】
読取搬送部により用紙の表裏を反転させつつ循環させて該用紙の両面に形成された画像を画像読取部で読み取ることが可能に構成された画像読取装置が後段に接続され得る画像形成装置であって、
画像データに基づいて用紙に画像を形成する画像形成部、前記画像形成部で一方の面に画像が形成された前記用紙の表裏を反転させつつ循環させて前記用紙の他方の面に画像を形成するように前記画像形成部に搬送する画像形成搬送部、及び、前記画像形成部が前記用紙に形成する画像の頁順序を制御する制御部を備えることで前記用紙の両面に画像形成することが可能に構成され、
前記制御部は、両面に画像が形成された前記用紙の両面の画像を前記画像読取部で読み取る場合と、両面に画像が形成された前記用紙の片面の画像を前記画像読取部で読み取る場合とで、前記画像形成部が前記用紙に形成する画像の配列として画像の表裏の順序を変更するよう制御する、
ことを特徴とする画像形成装置。
【請求項１２】
前記制御部は、両面に画像が形成された前記用紙の両面の画像を前記画像読取部で読み取る場合と、両面に画像が形成された前記用紙の片面の画像を前記画像読取部で読み取る場合とで、前記画像形成部が前記用紙に形成する画像の配列として画像の表裏の順序を変更するよう制御する、
ことを特徴とする請求項１０に記載の画像形成装置。
【請求項１３】
前記制御部は、前記画像形成部により両面に画像が形成された前記用紙について、前記画像読取部により両面の画像が読み取られた状態で排紙されることで、画像の頁順に揃った状態になるように、前記画像形成部が前記用紙に形成する画像の配列を変更するよう制御する、
ことを特徴とする請求項１０−１２のいずれか一項に記載の画像形成装置。
【請求項１４】
前記制御部は、前記画像形成搬送部において搬送される前記用紙の画像の頁順序と、前記読取搬送部において搬送される前記用紙の画像の頁順序と、に基づいて、前記画像形成部が前記用紙に形成する画像の配列を決定する、
ことを特徴とする請求項１０−１３のいずれか一項に記載の画像形成装置。
【請求項１５】
前記制御部は、
前記画像形成部により前記用紙の両面に画像を形成する際に、一部の用紙について前記用紙の両面の画像を前記画像読取部で読み取らせ、他の一部の用紙について前記用紙の両面の画像を前記画像読取部で読み取らせるよう制御し、
両面の画像が読み取られる前記用紙と、片面の画像が読み取られる前記用紙とで、前記画像形成部が前記用紙に形成する画像の配列を変更するよう制御する、
ことを特徴とする請求項１０−１４のいずれか一項に記載の画像形成装置。
【請求項１６】
前記制御部は、
前記画像形成部により前記用紙の両面に画像を形成する際に、一部の用紙について両面読取用紙と定めて前記用紙の両面の画像を前記画像読取部で読み取らせ、他の一部の用紙について片面読取用紙と定めて前記用紙の両面の画像を前記画像読取部で読み取らせるよう制御し、
前記片面読取用紙の後に前記両面読取用紙が処理される予定である場合には、前記両面読取用紙を前記片面読取用紙より先に前記画像形成部により画像形成されるように画像の配列を制御する、
ことを特徴とする請求項１０−１５のいずれか一項に記載の画像形成装置。
【請求項１７】
前記制御部は、
両面読取用紙であるＮ枚目の用紙に着目し、（Ｎ−ｉ）枚目から（Ｎ−１）枚目が片面読取用紙であり、
前記読取搬送部において前記用紙が表裏反転して循環する時間を循環時間Ｔcycleと、（Ｎ−ｉ）枚目の用紙後端からＮ枚目の用紙先端が前記読取搬送部において同位置を通過する紙間搬送時間Ｔconveyとを比較し、Ｔconvey≧Ｔcycleであれば、
Ｎ枚目の用紙を（Ｎ−ｉ）枚目の用紙の位置に割り込ませるように、前記画像形成部により画像形成されるように画像の配列を制御する、
ことを特徴とする請求項１６に記載の画像形成装置。
【請求項１８】
前記制御部は、
前記両面読取用紙がサンプル用の画像が形成されたサンプル用紙である場合、該サンプル用紙については、先行する前記片面読取用紙よりも先に画像形成する制御を適用しない、
ことを特徴とする請求項１６−１７のいずれか一項に記載の画像形成装置。
【請求項１９】
画像形成装置と画像読取装置とが接続された画像形成システムの画像形成装置を制御する画像形成制御プログラムであって、
前記画像形成装置を、
画像データに基づいて用紙に画像を形成する画像形成部、前記画像形成部で一方の面に画像が形成された前記用紙の表裏を反転させつつ循環させて前記用紙の他方の面に画像を形成するように前記画像形成部に搬送する画像形成搬送部、及び、前記画像形成部が前記用紙に形成する画像の頁順序を制御する制御部を備えることで前記用紙の両面に画像形成することが可能に機能させ、
前記画像読取装置を、
前記用紙に形成された画像を読み取る画像読取部、及び、前記画像読取部で一方の面の画像が読み取られた前記用紙の表裏を反転させつつ循環させて前記用紙の他方の面に形成された画像を読み取るように前記画像読取部に搬送する読取搬送部を備え、前記画像形成装置から送られてきた前記用紙の両面に形成された画像を読み取ることが可能に機能させ、
前記制御部は、両面に画像が形成された前記用紙の両面の画像を前記画像読取部で読み取る場合と、両面に画像が形成された前記用紙の片面の画像を前記画像読取部で読み取る場合とで、前記画像形成部が前記用紙に形成する画像の配列を変更するよう制御する、
ようにコンピュータを機能させることを特徴とする画像形成制御プログラム。
【請求項２０】
画像形成装置と画像読取装置とが接続された画像形成システムの画像形成装置を制御する画像形成制御プログラムであって、
前記画像形成装置を、
画像データに基づいて用紙に画像を形成する画像形成部、前記画像形成部で一方の面に画像が形成された前記用紙の表裏を反転させつつ循環させて前記用紙の他方の面に画像を形成するように前記画像形成部に搬送する画像形成搬送部、及び、前記画像形成部が前記用紙に形成する画像の頁順序を制御する制御部を備えることで前記用紙の両面に画像形成することが可能に機能させ、
前記画像読取装置を、
前記用紙に形成された画像を読み取る画像読取部、及び、前記画像読取部で一方の面の画像が読み取られた前記用紙の表裏を反転させつつ循環させて前記用紙の他方の面に形成された画像を読み取るように前記画像読取部に搬送する読取搬送部を備え、前記画像形成装置から送られてきた前記用紙の両面に形成された画像を読み取ることが可能に機能させ、
前記制御部は、両面に画像が形成された前記用紙の両面の画像を前記画像読取部で読み取る場合と、両面に画像が形成された前記用紙の片面の画像を前記画像読取部で読み取る場合とで、前記画像形成部が前記用紙に形成する画像の配列として画像の表裏の順序を変更するよう制御する、
ようにコンピュータを機能させることを特徴とする画像形成制御プログラム。
【請求項２１】
前記制御部は、両面に画像が形成された前記用紙の両面の画像を前記画像読取部で読み取る場合と、両面に画像が形成された前記用紙の片面の画像を前記画像読取部で読み取る場合とで、前記画像形成部が前記用紙に形成する画像の配列として画像の表裏の順序を変更するよう制御する、ようにコンピュータを機能させることを特徴とする請求項１９に記載の画像形成制御プログラム。
【請求項２２】
前記制御部は、前記画像形成部により両面に画像が形成された前記用紙について、前記画像読取部により両面の画像が読み取られた状態で排紙されることで、画像の頁順に揃った状態になるように、前記画像形成部が前記用紙に形成する画像の配列を変更するよう制御する、ようにコンピュータを機能させることを特徴とする請求項１９−２１のいずれか一項に記載の画像形成制御プログラム。
【請求項２３】
前記制御部は、前記画像形成搬送部において搬送される前記用紙の画像の頁順序と、前記読取搬送部において搬送される前記用紙の画像の頁順序と、に基づいて、前記画像形成部が前記用紙に形成する画像の配列を決定する、ようにコンピュータを機能させることを特徴とする請求項１９−２２のいずれか一項に記載の画像形成制御プログラム。
【請求項２４】
前記制御部は、
前記画像形成部により前記用紙の両面に画像を形成する際に、一部の用紙について前記用紙の両面の画像を前記画像読取部で読み取らせ、他の一部の用紙について前記用紙の両面の画像を前記画像読取部で読み取らせるよう制御し、
両面の画像が読み取られる前記用紙と、片面の画像が読み取られる前記用紙とで、前記画像形成部が前記用紙に形成する画像の配列を変更するよう制御する、
ようにコンピュータを機能させることを特徴とする請求項１９−２３のいずれか一項に記載の画像形成制御プログラム。
【請求項２５】
前記制御部は、
前記画像形成部により前記用紙の両面に画像を形成する際に、一部の用紙について両面読取用紙と定めて前記用紙の両面の画像を前記画像読取部で読み取らせ、他の一部の用紙について片面読取用紙と定めて前記用紙の両面の画像を前記画像読取部で読み取らせるよう制御し、
前記片面読取用紙の後に前記両面読取用紙が処理される予定である場合には、前記両面読取用紙を前記片面読取用紙より先に前記画像形成部により画像形成されるように画像の配列を制御する、
ようにコンピュータを機能させることを特徴とする請求項１９−２４のいずれか一項に記載の画像形成制御プログラム。
【請求項２６】
前記制御部は、
両面読取用紙であるＮ枚目の用紙に着目し、（Ｎ−ｉ）枚目から（Ｎ−１）枚目が片面読取用紙であり、
前記読取搬送部において前記用紙が表裏反転して循環する時間を循環時間Ｔcycleと、（Ｎ−ｉ）枚目の用紙後端からＮ枚目の用紙先端が前記読取搬送部において同位置を通過する紙間搬送時間Ｔconveyとを比較し、Ｔconvey≧Ｔcycleであれば、
Ｎ枚目の用紙を（Ｎ−ｉ）枚目の用紙の位置に割り込ませるように、前記画像形成部により画像形成されるように画像の配列を制御する、
ようにコンピュータを機能させることを特徴とする請求項２５に記載の画像形成制御プログラム。
【請求項２７】
前記制御部は、前記両面読取用紙がサンプル用の画像が形成されたサンプル用紙である場合、該サンプル用紙については、先行する前記片面読取用紙よりも先に画像形成する制御を適用しない、
ようにコンピュータを機能させることを特徴とする請求項２５−２６のいずれか一項に記載の画像形成制御プログラム。
【発明の詳細な説明】
【技術分野】
【０００１】
本発明は、画像形成装置及び画像形成システム並びに画像形成制御プログラムに関し、特に、用紙を循環搬送することで画像形成された用紙（出力物）について、画像形成装置とは別体の読取装置により循環搬送を伴って読み取る際に、画像形成と読み取りとを効率的に実行する技術に関する。
【背景技術】
【０００２】
用紙に画像を形成する画像形成装置の後段に画像読取装置が接続され、画像形成された用紙上の画像が画像読取装置で読み取られ、読み取り結果が画像形成装置の画像形成にフィードバックされる画像形成システムが存在している。
【０００３】
このような画像形成装置や画像形成システムでは、画像形成後の読み取り結果を参照し、画像形成位置や画質を調整したり、画像形成不良用紙を発見（ヤレ画像検出）したり、画像形成結果を証拠（証拠確認用画像）として残す、といった用途に使用されることがある。
【０００４】
また、この場合に、画像読み取りが必要ない場合には画像形成装置単独で使用し、画像読み取りが必要である場合には画像形成装置と画像読取装置とを接続することで、無駄のない画像形成装置や画像形成システムを構築することができる。
【０００５】
なお、この種の技術としては、以下の特許文献に各種の関連提案がなされている。
【先行技術文献】
【特許文献】
【０００６】
【特許文献１】特開平１１−２０８０７２号公報
【発明の概要】
【発明が解決しようとする課題】
【０００７】
以上の特許文献１では、用紙上の識別符号の印刷位置を判定する識別符号印刷位置判定部と、予め測定が行われた用紙の各位置毎の印刷濃度変動特性を記憶している印刷濃度記憶部と、識別符号印刷位置判定部と印刷濃度記憶部とにより識別符号の印刷位置の濃度変化を予測する識別符号濃度予測部とを有するように構成する。そして、制御部が、識別符号濃度予測部で識別符号の印刷位置が濃度変化が著しく、識別符号を読み取りづらくまたは見づらくなると判断した場合に、印刷処理部で印刷画像データおよびそれに対応する識別符号の読み出す順序を逆にして印刷するように指令する。
【０００８】
このように、印刷処理部が識別符号濃度予測部で濃度変化が著しいと判断すると、印刷処理部が印刷画像データと識別符号の読み出す順序を逆にして印刷することにより、用紙への印刷方向の上下が逆転し、識別符号を用紙上の相対的印刷位置を変えることなく濃度変化が低い位置で印刷するようになる。
【０００９】
さらに、印刷処理部が印刷画像データおよびそれに対応する識別符号に基づき用紙上にトナーの像を形成させ、このトナー像を順次加熱定着させるものである場合には、識別符号が定着終了端付近の位置にある時でも定着開始端付近での印刷になるために、識別符号の濃度変化が安定する。
【００１０】
ところで、上述したように、画像形成装置に対して必要に応じて画像読取装置を接続して画像形成システムとすることが可能であるが、その際に、画像読み取りを実行する際に生産性が低下する問題が発生することがある。
【００１１】
以下、具体例を用いて、画像形成システムの生産性低下について説明する。ここでは、図１３のような画像形成装置１００と画像読取装置２００とが接続された画像形成システムを想定する。
【００１２】
画像形成装置１００では、給紙部１０５から給紙される用紙に、画像形成部１５０で中間転写ベルト１５１に形成された画像が、転写ローラ１５５によって転写される。用紙上の画像は定着部１６０で定着される。両面画像形成される場合には、画像形成搬送部１０７で循環搬送された用紙の反対面にも画像が形成される。
【００１３】
このようにして画像が形成された用紙の一方の面の画像が、画像読取装置２００の読取部２１０で読み取られる。両面読み取りを行う場合には、読取搬送部２０７で循環搬送された用紙の反対面の画像が、読取部２１０で読み取られる。そして、読み取りが完了した用紙は、排紙部２９０に排紙される。
【００１４】
図１４は、画像形成装置１００において両面画像形成され、画像読取装置２００では片面のみの画像が読み取られる状態を示している。ここでは、両面画像形成の際に、両面交互搬送方式を具体例としている。
【００１５】
ここで、画像形成装置１００と画像読取装置２００とが連動した状態で、片面画像形成、両面画像形成、片面読み取り、両面読み取りのいずれかを実行する。このため、各装置で各用紙の各面の処理は、略等しい時間の範囲内で動作するように構成されている。すなわち、これらの時間を、単位時間と表現している。
【００１６】
図１４では、画像形成装置１００と画像読取装置２００とは、両面の処理を実行する際に、それぞれの装置内で、滞留しつつ循環可能な用紙枚数（循環可能枚数）が３枚である場合を具体例にする。
【００１７】
動作モード：従来例１（両面画像形成・全頁片面読み取り）
まず、単位時間１では、用紙１枚目［表］が給紙されて画像が転写される。この用紙１枚目［表］は定着された後に画像形成搬送部１０７で循環搬送される。
【００１８】
単位時間２では、後の両面画像形成のために空白期間とされる。
単位時間３では、用紙２枚目［表］が給紙されて画像が転写される。この用紙２枚目［表］は定着された後に画像形成搬送部１０７で循環搬送される。
【００１９】
単位時間４では、後の両面画像形成のために空白期間とされる。
単位時間５では、用紙３枚目［表］が給紙されて画像が転写される。この用紙３枚目［表］は定着された後に画像形成搬送部１０７で循環搬送される。
【００２０】
単位時間６では、循環搬送により反転された用紙１枚目［裏］に画像が転写される。この用紙１枚目［裏］は定着された後に画像読取装置２００に向けて搬送される。
単位時間７では、用紙４枚目［表］が給紙されて画像が転写される。この用紙４枚目［表］は定着された後に画像形成搬送部１０７で循環搬送される。これと並行して、単位時間７では、画像形成装置１００から画像読取装置２００に搬送された用紙１枚目［裏］の画像が読み取られる。
【００２１】
単位時間８では、循環搬送により反転された用紙２枚目［裏］に画像が転写される。この用紙２枚目［裏］は定着された後に画像読取装置２００に向けて搬送される。これと並行して、単位時間８では、用紙１枚目が［裏］を上にした状態で画像読取装置２００から排紙される。
【００２２】
単位時間９では、用紙５枚目［表］が給紙されて画像が転写される。この用紙５枚目［表］は定着された後に画像形成搬送部１０７で循環搬送される。これと並行して、単位時間９では、画像形成装置１００から画像読取装置２００に搬送された用紙２枚目［裏］の画像が読み取られる。
【００２３】
単位時間１０では、循環搬送により反転された用紙３枚目［裏］に画像が転写される。この用紙３枚目［裏］は定着された後に画像読取装置２００に向けて搬送される。これと並行して、単位時間１０では、用紙２枚目が［裏］を上にした状態で画像読取装置２００から排紙される。
【００２４】
単位時間１１では、用紙６枚目［表］が給紙されて画像が転写される。この用紙６枚目［表］は定着された後に画像形成搬送部１０７で循環搬送される。これと並行して、単位時間１１では、画像形成装置１００から画像読取装置２００に搬送された用紙３枚目［裏］の画像が読み取られる。
【００２５】
単位時間１２では、循環搬送により反転された用紙４枚目［裏］に画像が転写される。この用紙４枚目［裏］は定着された後に画像読取装置２００に向けて搬送される。これと並行して、単位時間１２では、用紙３枚目が［裏］を上にした状態で画像読取装置２００から排紙される。
【００２６】
単位時間１３では、画像形成装置１００から画像読取装置２００に搬送された用紙４枚目［裏］の画像が読み取られる。
単位時間１４では、循環搬送により反転された用紙５枚目［裏］に画像が転写される。この用紙５枚目［裏］は定着された後に画像読取装置２００に向けて搬送される。これと並行して、単位時間１４では、用紙４枚目が［裏］を上にした状態で画像読取装置２００から排紙される。
【００２７】
単位時間１５では、画像形成装置１００から画像読取装置２００に搬送された用紙５枚目［裏］の画像が読み取られる。
単位時間１６では、循環搬送により反転された用紙６枚目［裏］に画像が転写される。この用紙６枚目［裏］は定着された後に画像読取装置２００に向けて搬送される。これと並行して、単位時間１６では、用紙５枚目が［裏］を上にした状態で画像読取装置２００から排紙される。
【００２８】
単位時間１７では、画像形成装置１００から画像読取装置２００に搬送された用紙６枚目［裏］の画像が読み取られる。
そして、単位時間１８では、用紙６枚目が［裏］を上にした状態で画像読取装置２００から排紙される。
【００２９】
以上のようにして、６枚の用紙の両面に画像が形成され、用紙の片面が読み取られ、用紙１枚目〜用紙６枚目が［表］を下に向けたフェイスダウンの状態で排紙される。なお、この場合、画像形成装置１００の単独使用時と全く同じ用紙の表裏の状態で画像形成を実行している。また、この場合、単位時間１８で全ての動作が完了している。
【００３０】
動作モード：従来例２（両面画像形成・全頁両面読み取り）
図１４の場合と同様な条件で、画像形成装置１００で用紙の両面に画像形成し、画像読取装置２００で用紙の全頁で両面読み取りをする具体例を、図１４に対応させて図１５に示す。
【００３１】
この場合、画像読取装置２００において用紙の両面の画像を読み取るために循環搬送を実行する。このとき、画像読取装置２００で両面の画像を読み取ることで、用紙の表裏が反転した状態になるため、そのままの状態で排紙することができない。
【００３２】
そこで、図１５の読み取り順序で示すように、裏面読み取りと表面読み取りとの後に、排紙前の表裏を適切な状態に揃えるための循環搬送（図１５中の斜めハッチング部分：単位時間１７，１９，２１，２８，３０，３２）を実行する必要がある。すなわち、この表裏揃えのための循環搬送が入ることで、余分な時間が必要になる。
【００３３】
更に、この循環搬送が入るために、次の用紙の給紙と画像形成とを実行することができない状態になる。例えば、図１４と比較して、図１５では、単位時間７で用紙４枚目［表］、単位時間９で用紙５枚目［表］、単位時間１１で用紙６枚目［表］、の画像形成を開始することが出来ない状態になっている（図１５中の縦ハッチング部分）。すなわち、図１５では、単位時間１７で用紙４枚目［表］、単位時間１９で用紙５枚目［表］、単位時間２１で用紙６枚目［表］、のように、画像形成の開始を遅らせている。
【００３４】
以上のように、排紙する用紙の表裏を揃えるための循環搬送の実行、この循環搬送のための次の用紙の画像形成の開始遅れ、が発生する。このため、図１４では単位時間１８で全ての動作が完了していたが、両面画像読み取りを実行する図１５では単位時間３３で全ての動作が完了することになる。
【００３５】
動作モード：従来例３（両面画像形成・３頁のみ両面読み取り）
図１４の場合と同様な条件で、画像形成装置１００で用紙の両面に画像形成し、画像読取装置２００で用紙の３枚目のみ両面読み取り（他の用紙は片面読み取り）をする具体例を、図１４に対応させて図１６に示す。
【００３６】
この場合、画像読取装置２００において用紙３枚目の両面の画像を読み取るために循環搬送を実行する。このとき、画像読取装置２００で用紙３枚目で両面の画像を読み取ることで、用紙の表裏が反転した状態になるため、そのままの状態で排紙することができない。
【００３７】
そこで、図１６の読み取り順序で示すように、用紙３枚目について裏面読み取りと表面読み取りとの後に、排紙前の表裏を適切な状態に揃えるための循環搬送（図１６中の斜めハッチング部分：単位時間２１）を実行する必要がある。すなわち、この表裏揃えのための循環搬送が入ることで、余分な時間が必要になる。
【００３８】
更に、用紙３枚目の循環搬送が入るために、用紙４枚目以降の給紙と画像形成とを実行することができない状態になる。例えば、図１４と比較して、図１６では、単位時間７で用紙４枚目［表］、単位時間９で用紙５枚目［表］、単位時間１１で用紙６枚目［表］、の画像形成を開始することが出来ない状態になっている（図１６中の縦ハッチング部分）。すなわち、図１６では、単位時間１６で用紙４枚目［表］、単位時間１８で用紙５枚目［表］、単位時間２０で用紙６枚目［表］、のように、画像形成の開始を遅らせて、用紙３枚目の循環搬送分の紙間をあけるようにしている。
【００３９】
以上のように、排紙する用紙の表裏を揃えるための循環搬送の実行、この循環搬送のための次の用紙の画像形成の開始遅れ、が発生する。このため、図１４では単位時間１８で全ての動作が完了していたが、用紙３枚目だけ両面画像読み取りを実行する図１６では単位時間２７で全ての動作が完了することになる。
【００４０】
以上説明したように、両面画像形成された用紙について、画像形成装置の後段の画像読取装置により循環搬送を伴って用紙両面を読み取る際には、片面だけの読み取りと比較して生産性が極端に低下する問題が存在していた。
【００４１】
本発明は、両面画像形成された用紙について、画像形成装置の後段の画像読取装置により循環搬送を伴って用紙両面を読み取る際に、片面だけの読み取りと比較して生産性を低下させない画像形成装置及び画像形成システム並びに画像形成制御プログラムを実現することを目的とする。
【課題を解決するための手段】
【００４２】
すなわち、前記した課題を解決するため、本発明の一側面が反映された画像形成システム、画像形成装置及び画像形成制御プログラムは、以下のように構成される。
（１）画像形成装置と画像読取装置とが接続可能に構成され、前記画像形成装置は、画像データに基づいて用紙に画像を形成する画像形成部、前記画像形成部で一方の面に画像が形成された前記用紙の表裏を反転させつつ循環させて前記用紙の他方の面に画像を形成するように前記画像形成部に搬送する画像形成搬送部、及び、前記画像形成部が前記用紙に形成する画像の頁順序を制御する制御部を備えることで前記用紙の両面に画像形成することが可能に構成され、前記画像読取装置は、前記用紙に形成された画像を読み取る画像読取部、及び、前記画像読取部で一方の面の画像が読み取られた前記用紙の表裏を反転させつつ循環させて前記用紙の他方の面に形成された画像を読み取るように前記画像読取部に搬送する読取搬送部を備え、前記画像形成装置から送られてきた前記用紙の両面に形成された画像を読み取ることが可能に構成され、前記制御部は、両面に画像が形成された前記用紙の両面の画像を前記画像読取部で読み取る場合と、両面に画像が形成された前記用紙の片面の画像を前記画像読取部で読み取る場合とで、前記画像形成部が前記用紙に形成する画像の配列を変更するよう制御する、ことを特徴とする。
【００４３】
（２）画像形成装置と画像読取装置とが接続可能に構成され、前記画像形成装置は、画像データに基づいて用紙に画像を形成する画像形成部、前記画像形成部で一方の面に画像が形成された前記用紙の表裏を反転させつつ循環させて前記用紙の他方の面に画像を形成するように前記画像形成部に搬送する画像形成搬送部、及び、前記画像形成部が前記用紙に形成する画像の頁順序を制御する制御部を備えることで前記用紙の両面に画像形成することが可能に構成され、前記画像読取装置は、前記用紙に形成された画像を読み取る画像読取部、及び、前記画像読取部で一方の面の画像が読み取られた前記用紙の表裏を反転させつつ循環させて前記用紙の他方の面に形成された画像を読み取るように前記画像読取部に搬送する読取搬送部を備え、前記画像形成装置から送られてきた前記用紙の両面に形成された画像を読み取ることが可能に構成され、前記制御部は、両面に画像が形成された前記用紙の両面の画像を前記画像読取部で読み取る場合と、両面に画像が形成された前記用紙の片面の画像を前記画像読取部で読み取る場合とで、前記画像形成部が前記用紙に形成する画像の配列として画像の表裏の順序を変更するよう制御する、ことを特徴とする。
【００４４】
（３）上記（１）において、前記制御部は、両面に画像が形成された前記用紙の両面の画像を前記画像読取部で読み取る場合と、両面に画像が形成された前記用紙の片面の画像を前記画像読取部で読み取る場合とで、前記画像形成部が前記用紙に形成する画像の配列として画像の表裏の順序を変更するよう制御する。
【００４５】
（４）上記（１）−（３）において、前記用紙が前記画像読取装置から排紙されて積載される排紙部を備え、前記制御部は、前記画像形成部により両面に画像が形成された前記用紙について、前記画像読取部により両面の画像が読み取られた状態で前記排紙部に排紙されることで、画像の頁順に揃った状態になるように、前記画像形成部が前記用紙に形成する画像の配列を変更するよう制御する。
【００４６】
（５）上記（１）−（４）において、前記制御部は、前記画像形成搬送部において搬送される前記用紙の画像の頁順序と、前記読取搬送部において搬送される前記用紙の画像の頁順序と、に基づいて、前記画像形成部が前記用紙に形成する画像の配列を決定する。
【００４７】
（６）上記（１）−（５）において、前記制御部は、前記画像形成部により前記用紙の両面に画像を形成する際に、一部の用紙について前記用紙の両面の画像を前記画像読取部で読み取らせ、他の一部の用紙について前記用紙の両面の画像を前記画像読取部で読み取らせるよう制御し、両面の画像が読み取られる前記用紙と、片面の画像が読み取られる前記用紙とで、前記画像形成部が前記用紙に形成する画像の配列を変更するよう制御する。
【００４８】
（７）上記（１）−（６）において、前記制御部は、前記画像形成部により前記用紙の両面に画像を形成する際に、一部の用紙について両面読取用紙と定めて前記用紙の両面の画像を前記画像読取部で読み取らせ、他の一部の用紙について片面読取用紙と定めて前記用紙の両面の画像を前記画像読取部で読み取らせるよう制御し、前記片面読取用紙の後に前記両面読取用紙が処理される予定である場合には、前記両面読取用紙を前記片面読取用紙より先に前記画像形成部により画像形成されるように画像の配列を制御する。
【００４９】
（８）上記（７）において、前記制御部は、両面読取用紙であるＮ枚目の用紙に着目し、（Ｎ−ｉ）枚目から（Ｎ−１）枚目が片面読取用紙であり、前記読取搬送部において前記用紙が表裏反転して循環する時間を循環時間Ｔcycleと、（Ｎ−ｉ）枚目の用紙後端からＮ枚目の用紙先端が前記読取搬送部において同位置を通過する紙間搬送時間Ｔconveyとを比較し、Ｔconvey≧Ｔcycleであれば、Ｎ枚目の用紙を（Ｎ−ｉ）枚目の用紙の位置に割り込ませるように、前記画像形成部により画像形成されるように画像の配列を制御する。
【００５０】
（９）上記（７）−（８）において、前記制御部は、前記両面読取用紙がサンプル用の画像が形成されたサンプル用紙である場合、該サンプル用紙については、先行する前記片面読取用紙よりも先に画像形成する制御を適用しない。
【発明の効果】
【００５１】
本発明の一側面が反映された画像形成システム、画像形成装置及び画像形成制御プログラムによると、以下のような効果が得られる。
（１）両面に画像が形成された用紙の両面の画像を画像読取部で読み取る場合と、両面に画像が形成された用紙の片面の画像を画像読取部で読み取る場合とで、画像形成部が用紙に形成する画像の配列を変更する。
【００５２】
すなわち、両面画像形成された用紙について循環搬送を伴って用紙両面を読み取った状態で排紙される際に、画像形成部が用紙に形成する画像の配列を変更することで、読み取り後の排紙の際に表裏を揃えるための循環が不要になり、生産性低下の問題が解消される。
【００５３】
（２）両面に画像が形成された用紙の両面の画像を画像読取部で読み取る場合と、両面に画像が形成された用紙の片面の画像を画像読取部で読み取る場合とで、画像形成部が用紙に形成する画像の配列として画像の表裏の順序を変更する。
【００５４】
すなわち、両面画像形成された用紙について循環搬送を伴って用紙両面を読み取った状態で排紙される際に、画像形成部が用紙に形成する画像の配列として表裏の順序を変更することで、読み取り後の排紙の際に表裏を揃えるための循環が不要になり、生産性低下の問題が解消される。
【００５５】
（３）上記（１）において、両面に画像が形成された用紙の両面の画像を画像読取部で読み取る場合と、両面に画像が形成された用紙の片面の画像を画像読取部で読み取る場合とで、画像形成部が用紙に形成する画像の配列として画像の表裏の順序を変更するよう制御する。
【００５６】
すなわち、両面画像形成された用紙について循環搬送を伴って用紙両面を読み取った状態で排紙される際に、画像形成部が用紙に形成する画像の配列として表裏の順序を変更することで、読み取り後の排紙の際に表裏を揃えるための循環が不要になり、生産性低下の問題が解消される。
【００５７】
（４）上記（１）−（３）において、用紙が画像読取装置から排紙されて積載される排紙部を備え、画像形成部により両面に画像が形成された用紙について、画像読取部により両面の画像が読み取られた状態で排紙部に排紙されることで、画像の頁順に揃った状態になるように、画像形成部が用紙に形成する画像の配列を変更することで、読み取り後の排紙の際に表裏を揃えるための循環が不要になり、生産性低下の問題が解消される。
【００５８】
（５）上記（１）−（４）において、画像形成搬送部において搬送される用紙の画像の頁順序と、読取搬送部において搬送される用紙の画像の頁順序と、に基づいて、画像形成部が用紙に形成する画像の配列を決定することで、読み取り後の排紙の際に表裏を揃えるための循環が不要になり、生産性低下の問題が解消される。
【００５９】
（６）上記（１）−（５）において、
画像形成部により用紙の両面に画像を形成する際に、両面の画像が読み取られる用紙と、片面の画像が読み取られる用紙とで、画像形成部が用紙に形成する画像の配列を変更するよう制御することで、読み取り後の排紙の際に表裏を揃えるための循環が不要になり、生産性低下の問題が解消される。
【００６０】
（７）上記（１）−（６）において、画像形成部により用紙の両面に画像を形成する際に、両面読取用紙を片面読取用紙に先行して画像形成部により画像形成されるように画像の配列を制御することで、片面読取用紙の読み取り実行中に両面読取用紙の循環を実行できるようになり、片面読み取りと両面読み取りが混在する場合の生産性低下の問題が解消される。
【００６１】
（８）上記（７）において、両面読取用紙であるＮ枚目の用紙に着目し、（Ｎ−ｉ）枚目から（Ｎ−１）枚目が片面読取用紙であり、読取搬送部において用紙が表裏反転して循環する時間を循環時間Ｔcycleと、（Ｎ−ｉ）枚目の用紙後端からＮ枚目の用紙先端が読取搬送部において同位置を通過する紙間搬送時間Ｔconveyとを比較し、Ｔconvey≧Ｔcycleであれば、Ｎ枚目の用紙を（Ｎ−ｉ）枚目の用紙の位置に割り込ませるように、画像形成部により画像形成されるように画像の配列を制御することで、片面読取用紙の読み取り実行中に両面読取用紙の循環を実行できるようになり、片面読み取りと両面読み取りが混在する場合の生産性低下の問題が解消される。
【００６２】
（９）上記（７）−（８）において、両面読取用紙がサンプル用の画像が形成されたサンプル用紙である場合、該サンプル用紙については、先行する片面読取用紙よりも先に画像形成する制御を適用しないため、片面読み取りと両面読み取りが混在する場合に無駄な制御をすることがない。
【図面の簡単な説明】
【００６３】
【図１】本発明の実施形態の画像形成システムの構成を示す構成図である。
【図２】本発明の実施形態の画像形成システムの構成を示す構成図である。
【図３】本発明の実施形態の動作を示すフローチャートである。
【図４】本発明の実施形態の画面表示例を示す説明図である。
【図５】本発明の実施形態の画面表示例を示す説明図である。
【図６】本発明の実施形態の画面表示例を示す説明図である。
【図７】本発明の実施形態の画面表示例を示す説明図である。
【図８】本発明の実施形態の動作を示すフローチャートである。
【図９】本発明の実施形態の動作の一例を説明する説明図である。
【図１０】本発明の実施形態の動作の一例を説明する説明図である。
【図１１】本発明の実施形態の動作の一例を説明する説明図である。
【図１２】本発明の実施形態の動作の一例を説明する説明図である。
【図１３】従来の画像形成装置の構成を示す構成図である。
【図１４】従来の動作の一例を説明する説明図である。
【図１５】従来の動作の一例を説明する説明図である。
【図１６】従来の動作の一例を説明する説明図である。
【発明を実施するための形態】
【００６４】
以下、図面を参照して、画像形成装置や画像形成システムにおいて、画像形成された用紙の読み取りを効率的に実現する実施形態を詳細に説明する。
〔画像形成システムの構成〕
ここで、画像形成装置１００と画像読取装置２００とが接続された画像形成システムの構成例として、図１と図２に基づいて詳細に説明する。
【００６５】
ここで、画像形成装置１００は、画像形成装置１００内の各部を制御する制御部１０１と、接続されている他の装置（外部機器）と通信するための通信部１０２と、利用者による操作入力の受け付けと画像形成装置１００の状態表示とを行う操作表示部１０３と、各種設定を記憶する記憶部１０４と、給紙トレイに収容された用紙を給紙可能な給紙部１０５と、装置内で用紙を搬送する画像形成搬送部１０７と、撮像素子により原稿の画像を読み取って原稿画像データを生成する原稿読取部１１０と、読み取られた画像データを処理する読取信号処理部１２０と、画像形成する際の画像データや各種データを記憶するデータ記憶部１３０と、画像形成に必要な各種画像処理を実行する画像処理部１４０と、画像形成命令と画像データとに基づいて用紙上に画像を形成する画像形成部１５０と、用紙上に形成されたトナーによる画像を熱と圧力とで安定させる定着部１６０と、を備えて構成されている。
【００６６】
ここで、画像形成搬送部１０７は、図２に示されるように、画像形成装置１００内で用紙の表裏を反転させつつ循環搬送する。この画像形成搬送部１０７の循環搬送により、画像形成部１５０は用紙の両面に画像を形成することが可能である。なお、画像形成搬送部１０７としては、各部のローラが用紙を挟持搬送するが、ここではローラを省略して搬送経路として示している。
【００６７】
ここで、画像形成部１５０は、図２に示されるように、トナー像が形成される像担持体と、像担持体を所定の電位で帯電させる帯電部と、帯電した像担持体に画像データに応じた露光をして静電潜像を形成する露光部と、静電潜像を現像してトナー像にする現像部と、各色の像担持体上のトナー像が合成される中間転写ベルト１５１と、中間転写体上のトナー像を用紙に転写する転写ローラ１５５と、を有して構成される。
【００６８】
なお、ここでは、カラー画像を形成する画像形成部１５０を示したが、１色のみの画像形成部であっても良い。また、画像形成部１５０として電子写真方式の構造を示したが、これに限定されず、インクジェット方式などの他の方式であっても良い。
【００６９】
そして、画像形成装置１００の用紙搬送方向下流側に画像読取装置２００が配置されている。画像読取装置２００は、通信部２０２と、用紙を搬送する読取搬送部２０７と、用紙上に画像形成された画像を読み取る画像読取部２１０と、用紙を排紙する排紙部２９０と、を有して構成されており、出力される用紙の画像を読取搬送部２０７での搬送中に読み取る構成となっている。なお、読取搬送部２０７としては、各部のローラが用紙を挟持搬送するが、ここではローラを省略して搬送経路として示している。
【００７０】
また、画像読取部２１０は、ラインセンサを撮像素子として用いており、画像が形成された状態で搬送中の用紙を読み取る機能を備え、用紙に形成された画像を読み取って、画像データを生成する。
【００７１】
ここで、画像読取装置２００を必要としない環境では、画像形成装置１００に画像読取装置２００を接続せずに、画像形成装置１００が単独で画像形成を行う。
また、画像読取装置２００を必要とする環境では、画像形成装置１００に画像読取装置２００を接続する。そして、画像形成装置１００の画像形成結果を画像読取装置２００で読み取り、読み取り結果を参照して、両面画像形成の画像形成位置や、画像濃度などを画像形成装置１００で調整することが可能である。
【００７２】
〔画像形成装置、画像形成システムの全体動作〕
以下、図３のフローチャートと図４以降の説明図を参照して、画像形成システムの全体動作説明を行う。なお、制御部１０１が制御部２０１を介して読取搬送部２０７や画像読取部２１０を制御することを、以下の説明では単に制御部１０１が制御すると表記する。また、画像形成する際の画像の配列や読み取る際の頁順の決定については、図８のフローチャートを参照して別途詳細に説明する。
【００７３】
まず、画像形成装置１００の操作表示部１０３には、制御部１０１の制御により、初期状態で図４に示す表示画面１０３Ａが表示されている。ここでは、画像形成装置１００の後段に画像読取装置２００が接続されていることが、グラフィック表示部１０３Ａａに表示されている
外部機器から画像形成装置１００に入力されたジョブ又は画像形成装置１００に蓄積されているジョブについて、画像形成すべきジョブが選択され、操作表示部１０３又は外部機器から画像形成の実行の指示がなされる（図３中のステップＳ１０１）。そして、外部機器あるいは操作表示部１０３において、必要に応じてジョブチケットの編集がなされる（図３中のステップＳ１０２）。ここで、ジョブチケットの編集とは、既知の手法によってジョブの出力形態に変更を加えることである。
【００７４】
ここで、表示画面１０３Ａにおいて「コピー」タブ１０３Ａｂが操作されると、制御部１０１の制御により、操作表示部１０３には表示画面１０３Ｂ（図５参照）が表示される。
【００７５】
そして、オペレータにより「画像読取フィードバック設定」のタブ（図５中の１０３Ｂｂ）が操作されると、制御部１０１の制御により、操作表示部１０３には画像読取フィードバック設定画面１０３Ｃ（図６参照）が表示される。
【００７６】
この画像読取フィードバック設定画面１０３Ｃでは、画像形成装置１００で画像形成された用紙を画像読取装置２００でどのように読み取るかをオペレータが設定する画面である。
【００７７】
この画像読取フィードバック設定画面１０３Ｃでは、用紙の読み取り面（用紙の両面を読み取る／用紙の片面を読み取る）設定部１０３Ｃａ、読み取り頻度（全枚数、１枚毎、２枚毎、３枚毎、…）設定部１０３Ｃｂ、読み取り面と読み取り頻度のデフォルト設定部１０３Ｃｃ、などの選択や設定が可能である。
【００７８】
なお、両面画像形成の際の微妙な位置ズレなどが問題になる場合には、読み取り面を両面に設定し、読み取り頻度を短く設定することが望ましい。逆に、微妙なズレが問題にならない場合には、読み取り面を片面に設定し、読み取り間隔を長く設定することが可能である。
【００７９】
また、画像読取フィードバック設定画面１０３Ｃとしては、図７に示される変形例も可能である。なお、図７において、図６と同一物には同一番号を付して、重複した説明を省略する。
【００８０】
この図７では、図６の読み取り頻度（全枚数、１枚毎、２枚毎、３枚毎、…）設定部１０３Ｃｂの代わりに、読み取りフィードバック品質設定部１０３Ｃｂ’を設けている。
例えば、読取フィードバック品質としては、最高品質（全頁読み取り），高品質（１枚毎読み取り），中品質（５枚毎読み取り），といった選択肢を設けておく。なお、読み取り面についても、読取フィードバック品質に含めることも可能である。例えば、最高品質（全頁両面読み取り），高品質（１枚毎両面読み取り），中品質（５枚毎片面読み取り），といった選択肢が可能である。これにより、オペレータは、フィードバックの品質として認識できるため、操作が容易になる可能性がある。
【００８１】
このように設定された用紙の読み取り結果に基づいて、制御部１０１が次の用紙以降にフィードバックを実行し、位置ズレや色ズレ等を解消するように画像形成中にリアルタイムで制御する。
【００８２】
この読取フィードバック設定画面１０３Ｃで、読み取り面の選択や読み取り頻度の設定をした後に画面右下の閉じるボタンをオペレータが操作することで、制御部１０１は、設定や選択を確定し、読取フィードバック設定画面１０３Ｃを閉じる（図３中のステップＳ１０３）。
【００８３】
制御部１０１は、以上のように設定されたジョブと、読み取り面と読み取り頻度の設定とに応じて、画像形成部１５０が用紙に形成する画像の配列と、画像読取部２１０が読み取る頁の順を決定する（図３中のステップＳ１０４）。
【００８４】
なお、画像形成部１５０が用紙に形成する画像の配列とは、用紙の頁の表裏の画像の入れ替えの場合と、ある用紙の画像形成を本来の順番より早くなるように入れ替える場合（用紙順番変更）、とが存在する。
【００８５】
また、この画像形成部１５０で画像形成する画像の配列や画像読取部２１０が読み取る頁の順とは、後述する図９〜図１２のように、単位時間毎に、どの用紙のどの面にどの画像を形成するか、どの用紙のどの面を画像形成中に循環させるか、どの用紙のどの面にどの画像を読み取るか、どの用紙のどの面を読み取り中に循環させるか、どの用紙のどの面を上又は下にして排紙するか、と決定したものである。
【００８６】
ここで、画像形成装置１００と画像読取装置２００とが連動した状態で、片面画像形成、両面画像形成、片面読み取り、両面読み取りのいずれかを実行する。このため、各装置で各用紙の各面の処理は、略等しい時間の範囲内で動作するように構成されている。すなわち、これらの時間を、単位時間と表現している。
【００８７】
なお、ここでは単位時間として表現しているが、処理すべき順番（処理順）として取り扱っても同じ意味であり、厳格な意味で時間に限定されるものではない。
また、画像の配列や読み取る頁順の決定（図３中のステップＳ１０４）については、図８のフローチャートを参照して後に詳しく説明する。
【００８８】
以上のようにステップＳ１０４で画像形成する画像の配列や読み取る画像の頁の順が決定されると、制御部１０１は、以上の決定に従って、ジョブに含まれる最初の頁から最終の頁に至るまで、画像形成部１５０での画像形成、画像形成搬送部１０７での搬送（循環搬送又は画像読取装置２００への搬送）、画像読取部２１０での読み取り、読取搬送部２０７での搬送（循環搬送又は排紙部２９０への搬送）、を制御する（図３中のステップＳ１０５〜Ｓ１１８）。
【００８９】
まず、制御部１０１は、単位時間を意味するｊの初期値を１と設定し（図３中のステップＳ１０５）、単位時間ｊで画像形成が必要であるかを判断する（図３中のステップＳ１０６）。
【００９０】
単位時間ｊで画像形成が必要であれば（図３中のステップＳ１０６でＹＥＳ）、制御部１０１は、この単位時間ｊで画像形成すべきと決定された頁PageP_jの画像を用紙に画像形成するよう画像形成部１５０を制御する（図３中のステップＳ１０７）。本実施形態では、後述するように、各用紙の表裏の画像の入れ替えや、ある用紙の画像形成を本来の順番より早くなるように入れ替える場合（用紙順番変更）が存在している。また、単位時間ｊで画像形成が必要なければ（図３中のステップＳ１０６でＮＯ）、制御部１０１は、この単位時間ｊで画像形成部１５０が画像を形成せずに用紙が画像形成部１５０を通過するよう制御する。
【００９１】
また、制御部１０１は、以上のように画像形成部１５０で画像形成を行った用紙の反対面、又は、画像形成を行わずに画像形成部１５０を通過した用紙の反対面について、画像形成が必要かを上記の決定に従って判断する（図３中のステップＳ１０８）。
【００９２】
該当用紙の反対面で画像形成が必要であれば（図３中のステップＳ１０８でＹＥＳ）、制御部１０１は、用紙を画像形成搬送部１０７で循環搬送させ、再度画像形成部１５０に向けて搬送するよう制御する（図３中のステップＳ１０９）。
【００９３】
該当用紙の反対面で画像形成が必要でなければ（図３中のステップＳ１０８でＮＯ）、制御部１０１は、用紙を画像読取装置２００へ向けて画像形成搬送部１０７で搬送するよう制御する（図３中のステップＳ１１０）。
【００９４】
また、制御部１０１は、単位時間ｊで画像読み取りが必要であるかを判断する（図３中のステップＳ１１１）。
単位時間ｊで画像形成が必要であれば（図３中のステップＳ１１１でＹＥＳ）、制御部１０１は、この単位時間ｊで画像読取部２１０により読み取るべきと決定された頁PageR_jの画像を読み取るよう画像読取部２１０を制御する（図３中のステップＳ１１２）。
【００９５】
なお、この画像読取部２１０での読み取り結果に基づいて、制御部１０１が次の用紙以降にフィードバックを実行し、画像形成の際の位置ズレや色ズレ等を解消するように制御する。また、必要に応じて、この画像読取部２１０での読み取り結果を操作表示部１０３に表示しても良い。更に、この画像読取部２１０での読み取り結果をデータ記憶部１３０に証拠画像として保存しても良い。
【００９６】
また、単位時間ｊで画像読み取りが必要なければ（図３中のステップＳ１１１でＮＯ）、制御部１０１は、この単位時間ｊで画像読取部２１０が画像を読み取らずに用紙が画像読取部２１０を通過するよう制御する。
【００９７】
また、制御部１０１は、以上のように画像読取部２１０での読み取りを行った用紙の反対面、又は、読み取りを行わずに画像読取部２１０を通過した用紙の反対面について、読み取りが必要かを上記の決定に従って判断する（図３中のステップＳ１１３）。更に、当該用紙の反対面について読み取りが必要ない場合（図３中のステップＳ１１３でＮＯ）、制御部１０１は、用紙を排紙部２９０に排紙する際に用紙の表裏反転が必要かを上記の決定に従って判断する（図３中のステップＳ１１４）。
【００９８】
該当用紙の反対面で読み取りが必要であれば（図３中のステップＳ１１３でＹＥＳ）、制御部１０１は、用紙を読取搬送部２０７で循環搬送させ、再度画像読取部２１０に向けて搬送するよう制御する（図３中のステップＳ１１５）。
【００９９】
該当用紙の反対面で読み取りが必要でないが（図３中のステップＳ１１３でＮＯ）、用紙を排紙部２９０に排紙する際に用紙の表裏反転が必要ある場合（図３中のステップＳ１１４でＹＥＳ）、制御部１０１は、用紙を読取搬送部２０７で循環搬送させ、再度画像読取部２１０に向けて搬送するよう制御する（図３中のステップＳ１１５）。
【０１００】
該当用紙の反対面で読み取りが必要でなく（図３中のステップＳ１１３でＮＯ）、用紙を排紙部２９０に排紙する際に用紙の表裏反転が必要ない場合（図３中のステップＳ１１４でＮＯ）、制御部１０１は、用紙を用紙を排紙部２９０へ向けて読取搬送部２０７で搬送するよう制御する（図３中のステップＳ１１６）。
【０１０１】
そして、以上の単位時間ｊでの画像形成と読み取りと排紙との制御（図３中のステップＳ１０６〜Ｓ１１６）が完了した時点で、制御部１０１は、ジョブ中の全ての用紙についての処理が完了しているかを調べる（図３中のステップＳ１１７）。
【０１０２】
ジョブ中の全ての用紙についての処理が未完了であれば（図３中のステップＳ１１７でＮＯ）、制御部１０１は、ｊをインクリメントして次の用紙についても同様な処理を繰り返すよう各部を制御する（図３中のステップＳ１１８）。
【０１０３】
一方、ジョブ中の全ての用紙についての処理が完了していれば（図３中のステップＳ１１７でＹＥＳ）、制御部１０１は、当該ジョブについての処理を終了する（図３中のエンド）。
【０１０４】
〔画像形成装置、画像形成システムの詳細動作〕
以下、画像形成部１５０が用紙に形成する画像の配列と、画像読取部２１０が読み取る頁の順を決定すること（画像形成頁配列・読み取り頁順決定処理）について、図８のフローチャートと図９以降の状態説明図を参照して、画像形成システムの動作と画像形成制御方法とを説明する。
【０１０５】
まず、制御部１０１は、着目用紙がジョブにおいて何枚目の用紙であるかの用紙番号を意味する変数Ｎの初期値を１、着目用紙より先行する用紙を判断するための変数ｉの初期値を１と設定する（図８中のステップＳ２０１）。なお、以下、Ｎ枚目用紙を着目用紙と呼ぶ。
【０１０６】
ここで、制御部１０１は、ジョブ設定やジョブチケット編集結果を参照し、着目用紙は両面画像形成であるか否かを判断する（図８中のステップＳ２０２）。
また、制御部１０１は、ジョブ設定やジョブチケット編集結果や読取フィードバック設定を参照し、着目用紙が両面画像形成である場合に、両面読み取りであるか否かを判断する（図８中のステップＳ２０３）。
【０１０７】
また、制御部１０１は、ジョブ設定やジョブチケット編集結果を参照し、着目用紙が両面画像形成かつ両面読み取りである場合に、サンプル用の画像が形成されるサンプル用紙であるか否かを判断する（図８中のステップＳ２０４）。
【０１０８】
着目用紙が両面画像形成でなければ（図８中のステップＳ２０２でＮＯ）、制御部１０１は、着目用紙について、片面画像形成、片面読み取り、画像形成での頁順の変更なし、と設定する（図８中のステップＳ２０５）。
【０１０９】
着目用紙が両面画像形成であるが（図８中のステップＳ２０２でＹＥＳ）、着目用紙が片面読み取りであれば（図８中のステップＳ２０３でＮＯ）、制御部１０１は、着目用紙について、両面画像形成、片面読み取り、画像形成での頁順の変更なし、と設定する（図８中のステップＳ２０６）。この場合は、図１４に示した順序で、画像形成、読み取り、排紙が実行される。
【０１１０】
着目用紙が両面画像形成であり（図８中のステップＳ２０２でＹＥＳ）、着目用紙が両面読み取りであり（図８中のステップＳ２０３でＹＥＳ）、着目用紙がサンプル用紙であれば（図８中のステップＳ２０４でＹＥＳ）、制御部１０１は、着目用紙について、両面画像形成、両面読み取り、画像形成での頁順の変更なし、と設定する（図８中のステップＳ２０７）。
【０１１１】
以上のように、頁順に変更がない場合（図８中のステップＳ２０５，Ｓ２０６，Ｓ２０７）、制御部１０１は、着目用紙がジョブ中の最終用紙であるか否かを判断する（図８中のステップＳ２１５）。着目用紙がジョブ中の最終用紙であれば（図８中のステップＳ２１５でＹＥＳ）、画像形成頁配列・読み取り頁順決定処理を終了する（図８中のエンド）。一方、着目用紙がジョブ中の最終用紙でなければ（図８中のステップＳ２１５でＮＯ）、変数Ｎをインクリメントして（図８中のステップＳ２１６）、ジョブ内の次の用紙を着目用紙としてステップＳ２０２以降の処理を繰り返す。
【０１１２】
一方、着目用紙が両面画像形成であり（図８中のステップＳ２０２でＹＥＳ）、着目用紙が両面読み取りであり（図８中のステップＳ２０３でＹＥＳ）、着目用紙がサンプル用紙でなければ（図８中のステップＳ２０４でＮＯ）、制御部１０１は、着目用紙について、両面画像形成、片面読み取り、画像形成において表裏の画像の入れ替え（表裏逆順）、と設定する（図８中のステップＳ２０８）。
【０１１３】
なお、用紙に形成する画像の表裏の入れ替えとは、両面画像形成で読み取りなしの場合、または、両面画像形成で片面読み取りの場合と比較して、各用紙内で表裏の画像を入れ替えることを意味している。
【０１１４】
ここで、このような本実施形態の制御の効果を具体例を用いて検討する。両面画像形成で両面読み取りを行う場合、従来は図１５や図１６のような状態になるが、この実施形態では図９のような状態になる。
【０１１５】
両面画像形成された用紙について循環搬送を伴って用紙両面を読み取った状態で排紙される際に、従来は図１５のように単位時間３３必要であったものが、画像形成部が用紙に形成する画像の配列として表裏の順序を変更すると、図９のように単位時間２３で済むようになる。
【０１１６】
すなわち、読み取り後の排紙の際に表裏を揃えるための循環搬送（図１５の斜めハッチング部分）と、この循環搬送を入れるために次の用紙の給紙と画像形成とを実行できない空白無駄期間（図１５中の縦ハッチング部分）とが不要になるため、図９では短時間で両面画像形成と両面読み取りとが完了する。
【０１１７】
また、本実施形態の制御の効果を、別の具体例を用いて検討する。両面画像形成で一部の用紙（例えば、１〜６枚の両面画像形成において、用紙３枚目のみ）の両面読み取りを行う場合、従来は図１６のような状態になるが、この実施形態では図１０のような状態になる。
【０１１８】
両面画像形成された用紙について、一部の用紙のみ循環搬送を伴って用紙両面を読み取った状態で排紙される際に、従来は図１６のように単位時間２７必要であったものが、画像形成部が用紙に形成する画像の配列として表裏の順序を変更すると、図１０のように単位時間２２で済むようになる。
【０１１９】
すなわち、読み取り後の排紙の際に表裏を揃えるための循環搬送（図１６の斜めハッチング部分）と、この循環搬送を入れるために次の用紙の給紙と画像形成とを実行できない空白無駄期間（図１６中の縦ハッチング部分）とが不要になるため、図１０では短時間で両面画像形成と両面読み取りとが完了する。
【０１２０】
更に、着目用紙が両面画像形成であり（図８中のステップＳ２０２でＹＥＳ）、着目用紙が両面読み取りであり（図８中のステップＳ２０３でＹＥＳ）、着目用紙がサンプル用紙でなく（図８中のステップＳ２０４でＮＯ）、着目用紙について、両面画像形成、片面読み取り、画像形成において表裏の画像の入れ替え（表裏逆順）と設定した場合に（図８中のステップＳ２０８）、制御部１０１は、以下のステップＳ２０９以降の処理を行う。このステップＳ２０９以降の処理は、ある着目用紙の画像形成を本来の順番より早くなるように入れ替える用紙順番変更のための判定である。
【０１２１】
ここで、制御部１０１は、Ｎ−ｉ≠０であるか（図８中のステップＳ２０９）、（Ｎ−ｉ）枚目は片面読み取りであるか（図８中のステップＳ２１０）、を判定する。すなわち、着目用紙が２枚目以降の両面読み取りであって、着目用紙の先行用紙が片面読み取りであるかを調べる。なお、ｉの初期値は１であり、この場合は、着目用紙の１枚前の用紙を意味する。また、後述するようにｉをインクリメントして、更に１枚ずつ前の用紙について判定を続ける。
【０１２２】
そして、着目用紙が２枚目以降の両面読み取りであって、着目用紙の先行用紙が片面読み取りであるか場合（図８中のステップＳ２０９でＹＥＳ、Ｓ２１０でＹＥＳ）、制御部１０１は、画像読取装置２００の読取搬送部２０７で用紙が表裏反転して循環する循環時間Ｔcycleと、（Ｎ−ｉ）枚目の用紙後端からＮ枚目の用紙先端が読取搬送部において同位置（例えば読み取り位置）を通過する紙間搬送時間Ｔconveyとを比較して、Ｔconvey≧Ｔcycleであるかを判定する（図８中のステップＳ２１２）。
【０１２３】
なお、ＴconveyとＴcycleとのデータが予め記憶部１０４に格納されていても良いし、読取搬送部２０７の搬送距離と用紙搬送速度とから制御部１０１がＴconveyとＴcycleとを算出しても良い。また、図示されない既存のセンサを検知結果を用いて、制御部１０１がＴconveyとＴcycleとを算出しても良い。
【０１２４】
なお、制御部１０１は、Ｔconvey≧Ｔcycleであると判断されるまで、ｉをインクリメントして（図８中のステップＳ２１３）、更に前の先行用紙について用紙順番変更の判定を行う。この場合、Ｔcycleは一定であるが、ｉをインクリメントすることによりＮとＮ−ｉが離れてＴconveyが大きくなり、Ｔconvey≧Ｔcycleを満たす可能性が大きくなる。
【０１２５】
ここで、Ｎ−ｉ＝０となった場合（図８中のステップＳ２０９でＮＯ）は先行用紙が存在しないため、制御部１０１は、用紙順番変更の判定を終了し、着目用紙がジョブ中の最終用紙であるか否かを判断する（図８中のステップＳ２１５）。着目用紙がジョブ中の最終用紙であれば（図８中のステップＳ２１５でＹＥＳ）、画像形成頁配列・読み取り頁順決定処理を終了する（図８中のエンド）。一方、着目用紙がジョブ中の最終用紙でなければ（図８中のステップＳ２１５でＮＯ）、変数Ｎをインクリメントして（図８中のステップＳ２１６）、ジョブ内の次の用紙を着目用紙としてステップＳ２０２以降の処理を繰り返す。
【０１２６】
また、（Ｎ−ｉ）枚目の用紙が片面読み取りでなければ（図８中のステップＳ２１０でＮＯ）、同様に用紙順番変更の判定を終了し、ジョブ中の最終用紙判断（図８中のステップＳ２１５）をして、必要に応じてジョブ内の次の用紙を着目用紙としてステップＳ２０２以降の処理を繰り返す。
【０１２７】
ここで、Ｔconvey≧Ｔcycleであると判断されると（図８中のステップＳ２１２でＹＥＳ）、制御部１０１は、着目用紙を（Ｎ−ｉ）枚目の用紙の位置に頁順を変更し、（Ｎ−ｉ）番目の用紙〜（Ｎ−１）番目の用紙を１枚分遅らせるように頁順を変更する（図８中のステップＳ２１４）。
【０１２８】
なお、この後は、着目用紙がジョブ中の最終用紙かを判断し（図８中のステップＳ２１５）、最終用紙であれば終了し、最終用紙でなければジョブ内の次の用紙を着目用紙としてステップＳ２０２以降の処理を繰り返す。
【０１２９】
ここで、ステップＳ２１２の判断とステップＳ２１４の頁順の変更についての状態を、図１１を用いて模式的に示す。
ここではＮ＝３の場合であって、３枚目用紙が着目用紙である。そして、ｉ＝２、すなわちＮ−ｉ＝３−２＝１である１枚目用紙のときに、Ｔconvey≧Ｔcycleの条件を満たしたとする。この場合には、着目用紙である３枚目用紙を、Ｎ−ｉ＝１の１枚目用紙の位置に割り込ませるように、画像形成部１５０により画像形成されるように画像の配列を制御する。
【０１３０】
なお、この場合、Ｎ−ｉ枚目用紙〜Ｎ−１枚目用紙に該当する１枚目用紙と２枚目用紙とは、着目用紙である３枚目用紙の後の位置になる。
この結果、両面読取用紙である着目用紙の一方の面を読み取って、その後に、片面読取用紙であるＮ−ｉ枚目用紙〜Ｎ−１枚目用紙を読み取ることになるが、この片面読取用紙の読み取り期間中に着目用紙が読取搬送部２０７で循環する。そして、片面読取用紙であるＮ−ｉ枚目用紙〜Ｎ−１枚目用紙の読み取り後に、読取搬送部２０７で循環してきた着目用紙の他方の面を読み取れるようになる。これにより、片面読み取りと両面読み取りが混在する場合の生産性低下の問題が解消される。
【０１３１】
ここで、本実施形態の制御の効果を、具体例を用いて検討する。両面画像形成で一部の用紙（例えば、１〜６枚の両面画像形成において、用紙３枚目のみ）の両面読み取りを行う場合、従来は図１６のような状態になるが、この実施形態では図１２のような状態になる。
【０１３２】
ここでは、３枚目用紙を、１枚目用紙と２枚目用紙とに先行して画像形成部１５０で画像形成している（図１２中の単位時間１の「画像形成順序」のハッチング部分）。
この３枚目用紙は、１枚目用紙と２枚目用紙とに先行して画像読取部２１０で表面を読み取っている（図１２中の単位時間７の「読み取り順序」のハッチング部分）。そして、この３枚目用紙が読取搬送部２０７で循環搬送されて、１枚目用紙と２枚目用紙との読み取りに続いて画像読取部２１０で裏面が読み取られている（図１２中の単位時間１３の「読み取り順序」）。
【０１３３】
この結果、図１２に示す排紙順序としては、図１６で存在しているような大きな空白時間を設ける必要がなく、図１〜６枚目の用紙が順次排紙される。
従って、両面画像形成された用紙について、一部の用紙のみ循環搬送を伴って用紙両面を読み取った状態で排紙される際に、従来は図１６のように単位時間２７必要であったものが、画像形成部が用紙に形成する画像の配列として表裏の順序を変更し、更に一部の用紙の順序を入れ替えることで、図１２のように単位時間１８で済むようになる。
【０１３４】
すなわち、読み取り後の排紙の際に表裏を揃えるための循環搬送（図１６の斜めハッチング部分）と、この循環搬送を入れるために次の用紙の給紙と画像形成とを実行できない空白無駄期間（図１６中の縦ハッチング部分）とが不要になるため、本実施形態の図１２では短時間で両面画像形成と両面読み取りとが完了する。
【０１３５】
〔その他の実施形態〕
以上の説明における形成する画像の配列や読み取り頁順や循環枚数は一例であって、説明に用いた内容に限定されるものではない。
【０１３６】
また、以上の実施形態では、画像形成装置１００と画像読取装置２００とを有する画像形成システムの動作又は画像形成制御方法として説明したが、これに限定されるものではない。例えば、以上の画像形成システムの動作を実現する画像形成制御プログラムも実施形態の一態様である。この場合、従来の画像形成装置と従来の画像読取装置に、本実施形態の画像形成制御プログラムを適用することで、生産性が従来よりも改善される状態になる。
【符号の説明】
【０１３７】
１００  画像形成装置
１０２  通信部
１０３  操作表示部
１０４  記憶部
１０５  給紙部
１０７  画像形成搬送部
１１０  原稿読取部
１３０  データ記憶部
１４０  画像処理部
１５０  画像形成部
１６０  定着部
２００  画像読取装置
２０１  制御部
２０７  読取搬送部
２１０  画像読取部
２９０  排紙部
【図１】
2015213240.tif 000003
【図２】
2015213240.tif 000004
【図３】
2015213240.tif 000005
【図８】
2015213240.tif 000006
【図９】
2015213240.tif 000007
【図１０】
2015213240.tif 000008
【図１１】
2015213240.tif 000009
【図１２】
2015213240.tif 000010
【図１３】
2015213240.tif 000011
【図１４】
2015213240.tif 000012
【図１５】
2015213240.tif 000013
【図１６】
2015213240.tif 000014
【図４】
2015213240.tif 000015
【図５】
2015213240.tif 000016
【図６】
2015213240.tif 000017
【図７】
2015213240.tif 000018